(57)【要約】  囲まれた空間のための空気を調整するための方法及び装置において、第１周囲空気流は冷媒冷却システムの冷却コイルにより冷却され、その温度と湿度を低減する。このように冷却除湿された空気を次に回転する乾燥剤ホイールの一部分に通して水分含量を低減し温度を上げて前記囲まれた空間へ供給する。乾燥剤ホイールは、前記冷媒システムの凝縮器コイルで先ず加熱され次に乾燥剤ホイールの再生部分に通される第２周囲空気流を使用して再生される。迂回路プレナムが装置内に設けられている。迂回路プレナムは第１プレナム内の蒸発器コイル及び乾燥剤ホイールから独立してそのプレナム内で第３周囲空気流が冷却されるのを選択的に許す。その空気流が第１プレナムで処理された空気と共に囲まれた空間へ供給される。
2021504665.tif 000002
【特許請求の範囲】
【請求項１】
空調及び除湿システムであって、
閉じられたハウジングであって該ハウジングを第１及び第２空気プレナムに分割する壁を有するハウジングと、
冷却回路であって、前記第１プレナム内の蒸発器コイル、前記第２プレナム内の凝縮器コイル、及び周囲空気を前記第２プレナムに前記凝縮器を通って引き込み前記空気を前記凝縮器の下流で前記ハウジングの外部へ放出するための凝縮器送風機を含む冷却回路と、
前記ハウジング内に回転可能に取り付けられ前記分割する壁に垂直な平面内で回転する乾燥剤ホイールを含み前記ハウジング内にある除湿システムであって、前記ホイールの処理部分として働く一部分は前記第１プレナム内に位置し、前記ホイールの再生部分として働く第２部分は前記第２プレナム内に位置する、除湿システムと、
周囲空気を前記第１プレナム内に前記蒸発器を通って次に前記乾燥剤ホイールの前記処理部分を通って引き込むための周囲空気供給空気送風機であって、前記第１プレナム内の前記周囲空気は冷却及び除湿され、前記ホイールの前記再生部分は前記凝縮器送風機で前記第２プレナム内に引き込まれ前記凝縮器で加熱された空気により再生される、周囲空気供給空気送風機と、
前記冷却及び除湿された空気を前記第１プレナムから囲まれた空間に供給するための手段及び前記乾燥剤ホイールを再生するのに使用した空気流を前記第２プレナムから放出するための手段と、
第３プレナムを画定する周囲空気迂回路及び周囲空気を、前記第３プレナムを通して選択的に前記囲まれた空間に迂回空気流として供給するための手段と、
前記第３プレナム内で前記迂回空気流を選択的に冷却するための手段と
を備える空調及び除湿システム。
【請求項２】
周囲空気を、前記第３プレナムを通して選択的に供給するための前記手段は、前記迂回空気流を選択的に冷却するための前記手段を通って大気から前記囲まれた空間へ空気を引き込む迂回路送風機を含む、請求項１記載のシステム。
【請求項３】
前記第３プレナムは、周囲空気を前記第１プレナムの前記蒸発器で冷却される前に前記第１プレナムから前記第３プレナムに選択的に供給するための手段を含む、請求項１記載のシステム。
【請求項４】
周囲空気を前記第３プレナムに選択的に供給するための前記手段は、前記第１プレナムの前記蒸発器の上流で周囲空気を前記第１プレナムから方向付けるための選択的に動作可能な手段を含む、請求項３記載のシステム。
【請求項５】
前記第３プレナム内の前記冷却手段の下流にある手段であって、前記第３プレナム内の前記冷却手段を通過した冷却された空気を前記第１チャンバー内の前記乾燥剤ホイールを出る空気と前記囲まれた空間へ供給する前に混合するための手段を含む請求項４記載のシステム。
【請求項６】
前記第２プレナムの前記凝縮器を出る空気の一部を前記第３プレナム内に振り分けるための手段を含む請求項１記載のシステム。
【請求項７】
前記第１プレナムにおいて前記蒸発器の上流にある熱交換器手段であって、前記第１プレナムの前記蒸発器で更に冷却されるか又は前記第３プレナムに供給される前に周囲空気を予冷するための熱交換器手段を含む請求項１記載のシステム。
【請求項８】
囲まれた空間へ供給するため周囲空気を調整するための方法であって、
第１周囲供給空気流を冷媒システムの冷却コイルで冷却し、次に前記冷却された周囲供給空気流を回転する乾燥剤ホイールの一部分に通して前記周囲空気流の水分含量を低減しこのように処理された空気を前記囲まれた空間へ渡すステップと、
第２周囲空気流を前記冷媒システムの凝縮器コイルで加熱し前記加熱された第２周囲空気流を前記乾燥剤ホイールの再生部分に通すことで前記乾燥剤ホイールを再生するステップと、
第１プレナムで処理することなく迂回路プレナムで供給周囲空気を選択的に冷却し前記冷却した空気を前記迂回路プレナムから前記囲まれた空間へ供給するステップと
を含む方法。
【請求項９】
前記迂回路プレナム内の前記周囲空気は第１及び第２プレナム内の空気流から独立した第３周囲空気流である、請求項８記載の方法。
【請求項１０】
前記迂回路プレナム内の前記周囲空気は、前記第１プレナムの前記蒸発器コイルの上流の前記第１プレナム内の周囲空気から供給される、請求項８記載の方法。
【請求項１１】
前記第３プレナム内の周囲空気は前記乾燥剤ホイールの下流で前記第１プレナムに供給され、前記ホイールの前記処理部分を出る空気と前記囲まれた空間へ供給される前に混合される、請求項９記載の方法。
【請求項１２】
前記迂回路プレナムで周囲空気を冷却する前記ステップは、前記第１プレナム内の前記蒸発器コイルから独立した前記迂回路プレナム内の第２蒸発器コイルを使用するステップを含む、請求項８記載の方法。
【請求項１３】
前記迂回路プレナムで周囲空気を冷却する前記ステップは、冷水コイルを使用して前記周囲空気を冷却するステップを含む、請求項８記載の方法。
【請求項１４】
前記第１プレナムに供給される周囲空気を予め処理するステップを更に含む請求項８記載の方法。
【請求項１５】
前記迂回空気流を選択的に冷却するための前記手段は冷水コイルである請求項１記載のシステム。
【発明の詳細な説明】
【技術分野】
【０００１】
本発明は空調及び除湿装置及び方法、特に、増加した空気流能力を提供しながら湿度を制御するのに乾燥剤ホイール技術を使用する空調方法及び装置に関する。
【背景技術】
【０００２】
従来の空調構成は建物空間の水分負荷と温度負荷の両方に対処するのにあまり適合していないことは周知である。通常、建物空間内の水分負荷の主要源は、外部補給空気をその空間に供給する必要性から生じる。これは外部空気が建物内で要求されるより高い水分含量を通常有するためである。従って、従来の空調システムでは、空調装置の冷却能力は、ピーク温度設計条件時の潜在的（湿度）及び知覚可能（温度）状況に対応するように大きさが決められる。妥当な冷却要求が存在する場合、適切な除湿能力が実現される。しかし、閉じられた空間への湿度負荷は温度負荷に正比例して変化しない。即ち、朝及び夜間、屋外での絶対湿度はより高い温度の真昼の期間とほぼ同じである。従って、それらの時間、空間内の冷却の必要性はないことが多く、そのため除湿は起こらない。このため、既存の空調システムはそれらの状況に対してうまく作られていない。それらの状況は、時には建物内の居心地の悪い状況を引き起こし、建物及び配管内でのカビの形成又は他の細菌の生成を引き起こしうる。一方、空気の水分含量が、より少ない除湿を必要とする一方、同じ又はより多くの空気流能力をなお必要とする期間又は地理的領域が存在する。
【０００３】
乾燥剤冷却システムを使用してこれらの問題を解決するために複数の従来技術装置が提案されている。これらの装置では、大気からの供給空気は先ず乾燥剤ホイールなどを使用して除湿され、次にその空気は熱交換器を使用して冷却される。この空気からの熱は再生空気流に通常伝えられ、再生所要電力の一部を提供するために使用される。補給空気はそのまま直接空間に届けられるか或いは直接気化手段又はより伝統的な冷媒型空調装置により冷却される。乾燥剤ホイールは、空調されている囲まれた空間から又は外気から生じる第２空気流により再生される。この種の乾燥剤冷却システムは湿度及び温度の非常に密接し独立した制御を提供するように設計されうるが、通常伝統的なシステムより設置するのに費用がかかる。
【０００４】
特許文献１、特許文献２、及び特許文献３は空気が先ず冷媒システムで冷却され乾燥剤で乾燥される他のハイブリッドの装置を開示する。しかし、これらの開示の全てで、高い再生温度が乾燥剤を適切に再生するために必要である。これらの高温を達成するために、二重冷媒回路が再生温度を１４０°Ｆ（６０℃）超まで上昇させる又は上げるのに必要である。特許文献１の場合、凝縮器熱ではなくエンジンからの廃熱が使用される。
【０００５】
より良い解決策が特許文献４、特許文献５、及び特許文献６に提案されている。それらは周囲空気だけを囲まれた空間への供給空気として利用し周囲空気だけを乾燥剤を再生するのに利用する。そのようなシステムは、米国の南部及び南東部、及びアジアの国々で典型的であるような高湿度状態の外気を取り入れて空間中性状態に変える。それらのシステムは、外気から屋内空気快適帯状態の空気を生成するための代わりの手法に比べて重要な利点を有する。最も重要な利点は低いエネルギー消費である。即ち、空気を乾燥剤の助けで処理するのに必要なエネルギーは先に開示された冷却技術で使用されるのより少ない。
【０００６】
しかし、このようなシステムは使用する乾燥剤ホイールのサイズに基づく空気流能力限界を有する。従って、追加の空気流容量が必要な幾つかの状況では、能力要求を満たすために複数の装置が必要になる場合がある。空気が乾燥している気候条件では、このような装置は周囲の気候に依って、必要であるより暖かくより乾燥した空気を提供することがある。本発明は、そのような条件で、より大量の所望の温度及び湿度の調整された空気の供給を可能にする。
【先行技術文献】
【特許文献】
【０００７】
【特許文献１】米国特許第３４０１５３０号明細書
【特許文献２】米国特許第５５５１２４５号明細書
【特許文献３】米国特許第５７６１９２３号明細書
【特許文献４】米国特許第６５５７３６５号明細書
【特許文献５】米国特許第６７１１９０７号明細書
【特許文献６】米国特許第７０４７７５１号明細書
【発明の概要】
【発明が解決しようとする課題】
【０００８】
追加の又はより大きな乾燥剤ホイールの必要なく、従って効率的に経済的に外部供給空気を処理しより大きな空気流能力に関する要求及び必要に合わせて調整することが本発明の１つの目的である。
【０００９】
本発明の別の目的は、製造及び稼働するのに比較的安価なより高い空気流能力乾燥剤ベース除湿及び空調システムを提供することである。
【００１０】
本発明の更に別の目的は、操作者が乾燥剤処理された供給空気と追加の量の冷却された外気であって更なる乾燥を必要としない外気との比率を変えるのを可能にする空調システムを提供することである。
【課題を解決するための手段】
【００１１】
本発明の態様によれば、空調及び除湿システム及び方法はハウジング内又はと共に複数の空気プレナムを利用する。このハウジングは中間壁で分離された第１及び第２プレナムを有する。第１プレナムは周囲空気流を供給処理し処理した空気を冷却又は処理される囲まれた空間又は他の領域に供給するために使用される。このシステムはまた、第１プレナム内に位置し第１プレナムに入った周囲空気を冷却し除湿する蒸発器と第２プレナム内の凝縮器コイルとを備える液体蒸気冷却回路を含む。
【００１２】
供給送風機は第１プレナムに関連し周囲空気をそのプレナムに引き込み、処理した空気をそのプレナムから囲まれた内、領域、又は空間に供給する。凝縮器送風機は第２プレナムに関連し別の周囲空気流を第２プレナムに引き込み、その空気流は凝縮器を通過して加熱される。
【００１３】
乾燥剤除湿システムが本システムに含まれ、これは回転可能に取り付けられ中間壁を横切って通って延在する乾燥剤ホイールを利用する。そのホイールの一部分は第１処理空気プレナムにあり、別の部分は第２プレナム内の凝縮器の下流にあり、凝縮器で加熱された空気を動作時回転している乾燥剤ホイールを再生する再生空気として受け取る。その後、再生空気は大気へ排気される。
【００１４】
第３周囲空気プレナムも周囲空気迂回路として設けられ、その中を通って周囲空気は、第１プレナムでの乾燥剤ホイールによる処理の必要がなく能力が必要である時、選択的に囲まれた内又は空間に供給される。第３プレナムは送風機などにより第３プレナムに引き込まれた周囲空気を第３周囲空気流として囲まれた空間に供給する前に冷却するための装置を備える。その冷却装置は水冷器システムの冷却器コイル、又は第１及び第２プレナムで使用されるＤＸシステムから独立したＤＸ冷却システムの蒸発器コイルであってもよい。
【００１５】
本発明の別の態様では、第１周囲供給空気流をＤＸ冷却システムの蒸発器冷却コイルで冷却し次にその冷却され除湿された第１空気流を回転する乾燥剤ホイールの処理部分に通して第１周囲空気流の水分含量を更に低減することで調整された空気が囲まれた内又は空間に供給される。その後、この処理された第１周囲空気流は囲まれた空間に供給される。
【００１６】
乾燥剤ホイールは第２プレナムに供給された第２周囲空気流により再生される。第２周囲空気流は先ず第２プレナムのＤＸ凝縮器コイルを通過しそこでその温度が上昇し、第２プレナム内の乾燥剤ホイール部分を通過してそのホイールを再生する。そのホイールを通過した後、第２周囲空気流は大気へ排気される。
【００１７】
また、第３周囲空気流は選択的に第３プレナムに好ましくは第１及び第２プレナムに関連する前記送風機から独立した送風機により供給される。この第３空気流は第１及び第２プレナムで使用される冷却システムから独立したＤＸシステムにより選択的に冷却されて、乾燥剤ホイールによる処理なしに囲まれた空間に供給される。或いは、第３空気流中の送風機の代わりにダンパーが第３周囲空気流と第１空気流の間で乾燥剤ホイールの下流に配置され、送風機が第１空気流中で乾燥剤ホイールの下流に位置してもよく、第１空気流中の送風機が本システムを通る第１及び第３プレナムからの空気の全量を引っ張る。
【００１８】
このように、第３プレナムからの冷たい周囲空気の供給量及び／又は温度を変えることで、ユーザーは囲まれた空間に供給される周囲空気の量を増加させて、周囲温度及び湿度条件が操作者により要求されたより大きい空気量の全周囲空気の除湿は必要でないようなものである時、より良くより効率的に囲まれた空間に届けられる空気の温度及び湿度を制御できる。
【図面の簡単な説明】
【００１９】
本発明の上記及び他の目的、特徴、及び利点は、添付図面と関連付けて読むべきである例示の実施形態の下記の詳細な説明において明らかであろう。
【図１】従来技術の空調及び湿度制御装置の概略平面図である。
【図２】図１に示した従来技術装置の概略側面図である。
【図３】本発明に係る空調及び湿度制御装置の概略側面図である。
【図３Ａ】任意選択の前処理装置を含む本発明に係る空調及び湿度制御装置の別の実施形態の概略側面図である。
【図４】図３の実施形態の明確さのため迂回路プレナムを取り除いた平面図である。
【図４Ａ】図４に示したプレナム１８の迂回路プレナムを含む概略側面図である。
【図４Ｂ】図４に示したプレナム１６の迂回路プレナムを含む概略側面図である。
【発明を実施するための形態】
【００２０】
図面を詳細にそして先ず図１及び２を参照すると、特許文献４、特許文献５、及び特許文献６に概ね開示された種類の従来技術の空調装置１０が例示されている。装置１０は、分離壁１４を有するハウジング１２を備え、分離壁１４は概ね中央に位置し該ハウジングを別々の空気プレナム、即ち、第１プレナム１６及び第２プレナム１８に分ける。本装置は本質的に外部周囲空気だけを使用して、適切な又は所望の温度及び湿度条件に調整され除湿された空気を囲まれた内又は空間２０に供給するよう意図されている。
【００２１】
図１の従来技術の空調装置は、関連する直接液体蒸気圧縮膨張冷却システム（ＤＸ）２４も含む。ＤＸシステム２４は、鎖線で示された液体蒸気配管３０で接続された蒸発器又は冷却コイル２６及び凝縮器コイル２８と従来の圧縮機及び膨張弁（不図示）とを備える。
【００２２】
図１及び２に例示されているように、蒸発器コイル２６は、ハウジング１２の周囲空気入口３１に隣接する第１プレナム１６内に位置する。凝縮器コイル２８はハウジング１２の別の周囲空気入口３２に隣接するプレナム１８内に位置する。送風機３４及び３６がプレナム１６及び１８内に設けられ又は接続されて周囲空気をそれぞれのプレナム内に引き込む。
【００２３】
ハウジング１２はまた、従来の回転可能な乾燥剤ホイール３８も含む。乾燥剤ホイール３８はハウジング１２内に回転可能に取り付けられ、壁１４を横切ってその壁を部分的に通って延在し、装置の動作時、ホイールの回転中、そのホイールの一部（約半分）がプレナム１６、１８内で周囲空気流に曝される。これらの部分は第１プレナム１６において４０（処理空気のための処理部分とも呼ばれる）で示され、第２プレナム１８において４２（再生空気流のための再生部分とも呼ばれる）で示されている。
【００２４】
動作時、従来技術の装置は連続的に調整された外気を囲まれた空間に供給する。囲まれた空間からの廃空気は任意の都合のよい方法で送風機など（不図示）により従来知られているように排出される。第１の周囲又は処理空気流Ａは送風機３４によりプレナム１６内に引き込まれて、蒸発器コイル２６により冷却され除湿される。次に空気流Ａは部分４０において乾燥剤ホイール３８により更に除湿される。適切な制御がＤＸシステム２４に対してホイール３８の回転速度を変えるために使用されて、ハウジング１２の開口４４を通ってプレナム１６を出る空気は、空間２０のための所望の温度及び湿度条件を有する。
【００２５】
このシステムでは、周囲又は外部空気はまた、乾燥剤ホイールを再生するためにも使用される。その外部空気は、送風機３６により引き込まれ、凝縮器コイル２８を通過して第２周囲空気流Ｂの温度を上昇される。この加熱された空気流は次に乾燥剤ホイール３８の再生部分４２を通過してホイールから水分を取り除く。第２又は再生空気流は次に大気に排出される。この従来技術システムはまた前記囲まれた空間からの空気の一部又は全部を周囲空気流Ａにプレナム１６における処理のために供給する手段を有してもよい。
【００２６】
上記説明された従来技術の空調装置は使用するのに非常に効率的で成功している。しかし、ある気候条件では、又はある施設の場合、ユーザーは関わる空間を調整するために１つの装置で処理できるより大きな空気流量を要求する一方、囲まれた内又は空間に供給されるその量の空気について所望の湿度条件を達成するために空気のより少ない除湿を要求する。この要求を満たすために、通常２つ以上のそのような装置を使用する必要があり、ユーザーにとって費用を増加させるか、又は関わる空間について必要であるより多い除湿がされる。
【００２７】
しかし、ある地域の気候条件は、囲まれた空間への空気供給のための適切な除湿は単一の装置と除湿ホイールで達成できるような条件であることが分かった。
【００２８】
これらの問題は、別の第３周囲空気流であって、ユーザーの要求と乾燥剤ホイールでの追加の除湿を必要としない周囲条件とに依って追加の冷却及び除湿が無いか又は幾らかされる第３周囲空気流を利用する本発明により解決されてきた。
【００２９】
図３及び４は本発明に係る空調及び除湿装置５０の追加の実施形態を例示する。これらの図では、図１及び２で使用された符号が本実施形態の対応する構成要素に対して使用される。
【００３０】
従来技術のように、図３に示した装置５０は中央壁１４により分離された第１及び第２空気プレナム１６、１８（図３では見えない）を有する。処理又は供給空気流０Ａを成す周囲空気は送風機３４の影響を受けて開口３１からハウジング１２に入る。図３に例示するように、空気流は先ず従来の空気フィルター５２を通過し、次に必要か又は望む場合は、予め冷却のための水冷器５４を通過する。或いは、別のＤＸシステムの凝縮コイル（不図示）が、開口３１の下流で冷却コイル２６の前にあってもよく、状況がそれを必要とする場合、熱をその周囲空気に放出する。別の代わりの実施形態では、予め冷却のための別のＤＸ冷却コイルもあってもよく、状況がそれを必要とする場合、システムの凝縮コイルが熱をその周囲空気に放出する。
【００３１】
冷却機５４からの空気はＤＸシステム蒸発器コイル２６で処理されて、そこで乾燥され冷却されて次に乾燥剤ホイール３８の処理空気部分４０を通過して更に乾燥される。そこからその空気は囲まれた内又は空間２０に供給される。
【００３２】
第２周囲空気流は壁１４のプレナム１６と反対側のプレナム１８内に送風機３６により引き込まれる（図４）。その空気流は先ずＤＸシステムの凝縮器コイル２８を通過して加熱され、前述したように次に乾燥剤ホイール３８の再生部分４２を通過してホイールを再生して、次に大気に排気される。
【００３３】
第３空気プレナム５５（図３）はある量の冷却された周囲空気を囲まれた空間に乾燥剤ホイールを通過することなく供給するために設けられる。このプレナムは任意の都合のよいやり方で設けられ、ハウジング１２上に取り付けられるか又は一部としてプレナム１６及び１８の上面５８より上に形成されるダクトとして例示されている。しかし、このプレナムは本システムと任意の都合のよいやり方で関連しうることは理解されるであろう。
【００３４】
図３でも分かるように、第３空気プレナム５５は第１空気プレナム１６とハウジング１２の上部壁５８の通路５６を通して連通しうる。通路５６は任意の都合のよい又は既知の構造のダンパー６０で開閉され、ダンパーが開いているか又は部分的に開いている時、プレナム１６に引き込まれた周囲空気の一部が第３プレナム送風機６４によりプレナム５５にも引き込まれる。ダンパー６０は、ダンパーを開閉し又は部分的に開いた位置に保持する任意の既知の制御システムにより制御されて、第３プレナムに入る空気の量を制御する。
【００３５】
プレナム５５内の第３空気流は、第１及び第２プレナムで使用されるＤＸシステム２４から独立したＤＸ冷却システムの蒸発器コイル５９により又は別の水冷冷却器により必要に応じて選択的に冷却されてもよい。
【００３６】
冷却された第３空気流はハウジング１２内の乾燥剤ホイールを迂回してダンパー６８により制御された別の通路又は開口６６を通って乾燥剤ホイールの下流でプレナム１６内の第１又は処理空気流へ戻る。ダンパー６８は当業者により理解されるであろうように制御システムにより開閉される。
【００３７】
別の代わりの実施形態では、送風機６４は除去でき、送風機３４が単独で使用され外気をプレナム１６内に引き込み、次にその一部を蒸発器２６を通過する前に通路５６を通ってプレナム５５内に引き込む。両方の実施形態で、第１及び第３空気流は混合し一緒に囲まれた空間へ供給される。状況が必要とする場合、十分な空気が第１プレナムで乾燥されて必要な量の供給空気の一部の湿度及び温度を低減する一方、周囲空気の一部は単に冷却され（そして蒸発器コイル５９が使用される場合、部分的に乾燥され）、その２つの空気流が混合する時、得られる空気流は囲まれた空間で必要な所望の全体温度及び湿度条件を有する。この実施形態では、空気流を制御するためにダンパー６０を使用する代わりに、調整送風機として送風機６４を設けることができ、プレナム５５を通る外気流を通路５６からか又は下記に説明するように端壁６９の周囲空気入口を通ってかを切り替えうる。
【００３８】
上述した通路５６及びダンパー６０の代わりに、第３プレナムは周囲空気入口がその端壁６９に設けられるように作られうることは理解されるべきである。この空気入口は上記のダンパー６０と類似のダンパーにより開閉されうる。
【００３９】
図３Ａは、周囲空気流を第１プレナムに入る前に冷却するために前処理装置７０が設けられた本発明の別の実施形態を例示する。この前処理装置は、例えばエンタルピーホイール７２を含む任意の既知の種類の熱交換器であってもよい。
【００４０】
例示されているように、周囲空気流はエンタルピーホイール７２に入り、蒸発器２６に入る前に冷却される。エンタルピーホイールは別のダクトシステムにより囲まれた空間から取り出され大気へ排気される戻り空気で再生される。
【００４１】
図３Ａは、迂回空気を第１プレナム内で混合する代わりに、第３プレナムが放出端８０において伸ばされて迂回空気を直接囲まれた空間に供給できることを例示する。
【００４２】
図４Ａ及び４Ｂは、プレナム１８内の凝縮器２８を出る加熱された空気の一部をプレナム５５内に向けるよう適合した本発明の別の実施形態を例示する。これは選択的に動作可能なダンパー５７の使用により実現される。ダンパー５７は凝縮器２８からの加熱された空気の一部がプレナム５５に入りそのプレナム内に通常いる周囲空気を加熱又はと置き換わるのを許す。外気温度が、迂回空気が提供するよう意図された温度以下である時に、ダンパー５７は通常動作する。
【００４３】
本発明の例示の実施形態を、添付図面を参照して本明細書に説明したが、本発明はこれらの明確な実施形態に限定されず、それらに本発明の範囲又は要旨から逸脱することなく様々な変更及び部分変更が当業者によりされうることは理解されるべきである。
【符号の説明】
【００４４】
１０    空調装置
１２    ハウジング
１４    分離壁又は中央壁
１６    第１プレナム
１８    第２プレナム
２４    ＤＸシステム
２６    冷却コイル
２８    凝縮器コイル
３０    液体蒸気配管
３２    周囲空気入口
３４、３６    送風機
３８    乾燥剤ホイール
４０    処理部分
４２    再生部分
４４    開口
５０    空調及び除湿装置
５２    空気フィルター
５４    冷却機
５５    第３プレナム
５６    通路
５７、６０、６８    ダンパー
５８    上部壁
５９    蒸発器コイル
６４    送風機
６６    開口
６９    端壁
７０    前処理装置
７２    エンタルピーホイール
８０    放出端
【図１】
2021504665.tif 000003
【図２】
2021504665.tif 000004
【図３】
2021504665.tif 000005
【図３Ａ】
2021504665.tif 000006
【図４】
2021504665.tif 000007
【図４Ａ】
2021504665.tif 000008
【図４Ｂ】
2021504665.tif 000009
【国際調査報告】
2021504665.tif 000010